(57)【要約】【課題】トラッキング・エリアの確認のための無線リソースの無駄を低減できるアクセスゲートウェイ装置及びトラッキング・エリアの識別子の通知方法を提供する。【解決手段】アクセスゲートウェイ装置に、トラッキング・エリアと、該トラッキング・エリアを構成するセルをカバーする基地局との対応関係を示すテーブルと、所定のタイミングで、テーブルを参照し、移動局の在圏するトラッキング・エリアの識別子を検出し、検出されたトラッキング・エリアの識別子と、記憶されている識別子とを比較するトラッキング・エリア識別子比較手段と、比較結果に基づいて、検出されたトラッキング・エリアの識別子と、記憶されている識別子とが異なる場合に、移動局に検出されたトラッキング・エリアの識別子を通知するトラッキング・エリア識別子通知手段とを備えることにより達成される。【選択図】図４
2008118203.tif 000002
【特許請求の範囲】
【請求項１】
１又は複数のセルによりトラッキング・エリアが構成され、
通信中の移動局の在圏するトラッキング・エリアの識別子が記憶され、
トラッキング・エリアと、該トラッキング・エリアを構成するセルをカバーする基地局との対応関係を示すテーブル；
所定のタイミングで、前記テーブルを参照し、前記移動局の在圏するトラッキング・エリアの識別子を検出し、検出されたトラッキング・エリアの識別子と、記憶されている識別子とを比較するトラッキング・エリア識別子比較手段；
前記比較結果に基づいて、検出されたトラッキング・エリアの識別子と、記憶されている識別子とが異なる場合に、前記移動局に検出されたトラッキング・エリアの識別子を通知するトラッキング・エリア識別子通知手段；
を備えることを特徴とするアクセスゲートウェイ装置。
【請求項２】
請求項１に記載のアクセスゲートウェイ装置において：
前記移動局が、ハンドオーバ元基地局のカバーするセルから、ハンドオーバ先基地局のカバーするセルに移動し、
前記トラッキング・エリア識別子比較手段は、前記ハンドオーバ先基地局から前記移動局のルーティングパス切り替え要求が送信された場合に、検出されたトラッキング・エリアの識別子と、記憶されている識別子とを比較することを特徴とするアクセスゲートウェイ装置。
【請求項３】
請求項２に記載のアクセスゲートウェイ装置において：
記憶されているトラッキング・エリアの識別子を、通知したトラッキング・エリアの識別子に更新することを特徴とするアクセスゲートウェイ装置。
【請求項４】
請求項１に記載のアクセスゲートウェイ装置において：
前記移動局がアイドルモードからアクティブモードに遷移した場合に、前記移動局の在圏するトラッキング・エリアの識別子が記憶され、
前記移動局とのコネクションを解放する決定が行われ、
前記トラッキング・エリア識別子比較手段は、前記移動局とのコネクションの解放処理が行われる前に、前記移動局の在圏するトラッキング・エリアの識別子を検出し、検出されたトラッキング・エリアの識別子と、記憶されている識別子とを比較することを特徴とするアクセスゲートウェイ装置。
【請求項５】
請求項４に記載のアクセスゲートウェイ装置において：
前記トラッキング・エリア識別子通知手段は、トラッキング・エリアの識別子を解放コマンドに含めて通知することを特徴とするアクセスゲートウェイ装置。
【請求項６】
請求項１に記載のアクセスゲートウェイ装置において：
各移動局は少なくとも１台のアクセスゲートウェイ装置により管理され、
他のアクセスゲートウェイ装置に管理されているある移動局の管理を、自アクセスゲートウェイ装置に切替える決定を行い、
他のアクセスゲートウェイ装置から記憶されているトラッキング・エリアの識別子が通知され、
前記トラッキング・エリア識別子比較手段は、ホームロケーションレジスタからのリロケーション完了通知に基づいて、検出されたトラッキング・エリアの識別子と、通知された識別子とを比較することを特徴とするアクセスゲートウェイ装置。
【請求項７】
１又は複数のセルにより構成されるトラッキング・エリアを備える移動通信システムにおけるトラッキング・エリア識別子通知方法であって：
前記アクセスゲートウェイ装置が通信中の移動局の在圏するトラッキング・エリアの識別子を記憶する記憶ステップ；
前記アクセスゲートウェイ装置が、所定のタイミングで、トラッキング・エリアと、該トラッキング・エリアを構成するセルをカバーする基地局との対応関係を示すテーブルを参照し、前記移動局の在圏するトラッキング・エリアの識別子を検出するトラッキング・エリア識別子検出ステップ；
前記アクセスゲートウェイ装置が、検出されたトラッキング・エリアの識別子と、記憶されている識別子とを比較するトラッキング・エリア識別子比較ステップ；
前記アクセスゲートウェイ装置が、前記比較結果に基づいて、検出されたトラッキング・エリアの識別子と、記憶されている識別子とが異なる場合に、前記移動局に検出されたトラッキング・エリアの識別子を通知するトラッキング・エリア識別子通知ステップ；
を有することを特徴とするトラッキング・エリア識別子通知方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特にアクセスゲートウェイ装置及びトラッキング・エリア識別子通知方法に関する。
【背景技術】
【０００２】
移動通信ネットワークでは、移動局の位置は、トラッキング・エリア（Ｔｒａｃｋｉｎｇ  Ａｒｅａ）という単位でネットワークに記憶される。トラッキング・エリアとは、３Ｇにおけるロケーション・エリア（ＬＡ：  Ｌｏｃａｔｉｏｎ  Ａｒｅａ）又はルーティング・エリア（ＲＡ：  Ｒｏｕｔｉｎｇ  Ａｒｅａ）に相当し、１又は複数のセルにより構成される。
【０００３】
各移動局を管理するアクセスゲートウェイ装置は、ホームロケーションレジスタ（ＨＬＲ：  Ｈｏｍｅ  Ｌｏｃａｔｉｏｎ  Ｒｅｇｉｓｔｅｒ）にそのアクセスゲートウェイ装置の識別子が保持される。
【０００４】
移動局は、２種類の動作モード、すなわちアクティブモードとアイドルモードとを有する。
【０００５】
アイドルモードである移動局、すなわち待ち受け中の移動局は、伝搬状態の一番よいセルを選択し、そのセルから送信されているページングチャネルを受信する。移動局は、受信したページングチャネルを確認し、自局に対する着信を示すフラグの有無を確認し、自局に対する着信を示すフラグを確認すると、在圏セルに対して上りリンクでアクセスする。移動局は、その後、該セルとの間にコネクションを張り、アクティブモードに遷移する。この時点で、ネットワーク側は、移動局が在圏するセルを特定できる。
【０００６】
ネットワーク側では、移動局がアイドルモードである場合には、該移動局との間のコネクションのない状態であるため、在圏するセルを特定することができない。このため、ネットワークは、トラッキング・エリアに属する全セルで、ページングチャネルを送信する。
【０００７】
各トラッキング・エリアでは、各セルから、トラッキング・エリアの識別子が報知されている。アイドルモードである移動局は、報知されているトラッキング・エリアの識別子を受信し、自局の属するトラッキング・エリアを把握することができる。
【０００８】
例えば、移動局が隣のセルに移動し、そこで報知されているトラッキング・エリアの識別子がこれまで報知されていたトラッキング・エリアの識別子と異なる場合、移動局は上りリンクでアクセスし、位置登録の更新を行う。この位置登録の更新をトラッキング・エリア・アップデート（ＴＡＵ：  Ｔｒａｃｋｉｎｇ  Ａｒｅａ  Ｕｐｄａｔｅ）という。
【０００９】
具体的には、移動局は位置登録されているトラッキング・エリアの識別子を記憶保持している。移動局は、移動に伴いセルの再選択を行う。このセルの再選択をセルリセレクションという。移動局はセルリセレクションの度に、そのセルからの報知情報を受信し、その報知情報に含まれるトラッキング・エリアの識別子を確認する。移動局は、受信した新たなトラッキング・エリアの識別子が、記憶保持しているトラッキング・エリアの識別子と異なる場合、これまで在圏していたトラッキング・エリアから出たと判断し、トラッキング・エリア・アップデートを行う。
【００１０】
一方、受信した新たなトラッキング・エリアの識別子が記憶保持しているトラッキング・エリアの識別子と同じ場合、移動局は、これまで在圏していたトラッキング・エリアから出ていないと判断する。この場合、移動局は、トラッキング・エリア・アップデートは行わない。
【００１１】
移動局は、移動に伴い、セルリセレクションを行うが、同じトラッキング・エリアに在圏する限り、トラッキング・エリア・アップデートは行わない。
【００１２】
また、アクティブモードである移動局、すなわち通信中の移動局は、トラッキング・エリア・アップデートは行わない。
【非特許文献１】３ＧＰＰ  ＴＲ  ２５．８１３  Ｖ１．０．１
【発明の開示】
【発明が解決しようとする課題】
【００１３】
移動局が、アクティブモードに遷移し、通信を行い終話した場合、これまでの移動通信システム、例えばＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、終話することにより、ネットワークと移動局とのコネクションが切れる。すなわち、移動局は、アクティブ状態からアイドル状態に遷移する。
【００１４】
そのアイドル状態に遷移した移動局は、周辺セルの測定を行い、受信状態のよいセルを選択し、そのセルからの報知情報を受信し、その報知情報に含まれるトラッキング・エリアの識別子を確認する。移動局は、受信した新たなトラッキング・エリアの識別子が記憶保持しているトラッキング・エリアの識別子と異なる場合、トラッキング・エリア・アップデートを行う。
【００１５】
一方、移動局は、受信した新たなトラッキング・エリアの識別子が記憶保持しているトラッキング・エリアの識別子と同じである場合、トラッキング・エリア・アップデートを行わない。
【００１６】
例えば、図１に示すように、移動局２は、トラッキング・エリア＃１（ＴＡ＃１）のセル１１でアクティブモードに遷移し、セル１２、セル１３、セル１４、セル１５、セル１６に順次ハンドオーバを行うことにより、トラッキング・エリア＃１、＃２及び＃３に移動し、トラッキング・エリア＃３のセル１６で終話し、アクティブモードからアイドルモードに遷移する。図１において、黒丸はトラッキング・エリア・アップデート前の移動局、白丸はトラッキング・エリア・アップデート後の移動局を示す。
【００１７】
すなわち、一旦コネクションが切断されてから、言い換えれば、ＲＲＣの解放が行われた後、セルセレクションが行われ、必要に応じて、トラッキング・エリア・アップデートが行われる。そのため、再度ＲＲＣ接続をする必要があり、その処理が無駄になる。
【００１８】
このため、コネクションの切断が行われてから、トラッキング・エリア・アップデートの処理が終了するまで、その移動局に対する着信ができない問題がある。
【００１９】
また、アクティブ状態からアイドル状態に遷移した移動局は、トラッキング・エリアが変わっているか否かにかかわらず確認を行うため、トラッキング・エリアが変わっていない場合には、その確認のための処理が無駄となる問題がある。
【００２０】
そこで、本発明は、上述した問題を解決するためになされたものであり、トラッキング・エリアの確認のための無線リソースの無駄を低減できるアクセスゲートウェイ装置及びトラッキング・エリアの識別子の通知方法を提供することにある。
【課題を解決するための手段】
【００２１】
上記課題を解決するため、アクセスゲートウェイ装置は、
１又は複数のセルによりトラッキング・エリアが構成され、
通信中の移動局の在圏するトラッキング・エリアの識別子が記憶され、
トラッキング・エリアと、該トラッキング・エリアを構成するセルをカバーする基地局との対応関係を示すテーブル；
所定のタイミングで、前記テーブルを参照し、前記移動局の在圏するトラッキング・エリアの識別子を検出し、検出されたトラッキング・エリアの識別子と、記憶されている識別子とを比較するトラッキング・エリア識別子比較手段；
前記比較結果に基づいて、検出されたトラッキング・エリアの識別子と、記憶されている識別子とが異なる場合に、前記移動局に検出されたトラッキング・エリアの識別子を通知するトラッキング・エリア識別子通知手段；
を備えることを特徴の１つとする。
【００２２】
このように構成することにより、アクティブモードの移動局に対して、トラッキング・エリアが変わったことを通知することができる。
【００２３】
本発明のトラッキング・エリア識別子通知方法は、
１又は複数のセルにより構成されるトラッキング・エリアを備える移動通信システムにおけるトラッキング・エリア識別子通知方法であって：
前記アクセスゲートウェイ装置が通信中の移動局の在圏するトラッキング・エリアの識別子を記憶する記憶ステップ；
前記アクセスゲートウェイ装置が、所定のタイミングで、トラッキング・エリアと、該トラッキング・エリアを構成するセルをカバーする基地局との対応関係を示すテーブルを参照し、前記移動局の在圏するトラッキング・エリアの識別子を検出するトラッキング・エリア識別子検出ステップ；
前記アクセスゲートウェイ装置が、検出されたトラッキング・エリアの識別子と、記憶されている識別子とを比較するトラッキング・エリア識別子比較ステップ；
前記アクセスゲートウェイ装置が、前記比較結果に基づいて、検出されたトラッキング・エリアの識別子と、記憶されている識別子とが異なる場合に、前記移動局に検出されたトラッキング・エリアの識別子を通知するトラッキング・エリア識別子通知ステップ；
を有することを特徴の１つとする。
【００２４】
このようにすることにより、アクティブモードの移動局に対して、トラッキング・エリアが変わったことを通知することができる。
【発明の効果】
【００２５】
本発明の実施例によれば、トラッキング・エリアの確認のための無線リソースの無駄を低減できるアクセスゲートウェイ装置及びトラッキング・エリアの識別子の通知方法を実現できる。
【発明を実施するための最良の形態】
【００２６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２７】
本発明の実施例に係るアクセスゲートウェイ装置が適用される移動通信システムについて、図２を参照して説明する。
【００２８】
本実施例に係る移動通信システムは、基地局（ｅＮＢ：  ｅＮｏｄｅ  Ｂ）１００（１００１、１００２、１００３、１００４、１００５、１００６）と、移動局（ＵＥ：  Ｕｓｅｒ  Ｅｑｕｉｐｍｅｎｔ）２００とを備える。基地局１００１、１００２、１００３、１００４、１００５及び１００６がカバーするセルをそれぞれセル１０２１、１０２２、１０２３、１０２４、１０２５及び１０２６と呼ぶ。
【００２９】
アクセスゲートウェイ装置（ａＧＷ：  ａｃｃｅｓｓ  Ｇａｔｅｗａｙ）３００は、例えばコアネットワーク５００に備えられる。コアネットワーク以外のネットワークに備えられるようにしてもよい。このアクセスゲートウェイ装置を制御プレーン（Ｃ−ｐｌａｎｅ）及びユーザー・プレーン（Ｕ−ｐｌａｎｅ）に分け、ＭＭＥ／ＵＰＥとする場合もある。また、コアネットワーク５００には、ホームロケーションレジスタ（ＨＬＲ：  Ｈｏｍｅ  Ｌｏｃａｔｉｏｎ  Ｒｅｇｉｓｔｅｒ）４００が備えられる。 
本発明の第１の実施例に係る移動通信システムについて説明する。
【００３０】
本実施例に係る移動通信システムでは、移動局２００の状態がアクティブ状態、アイドル状態に関わらず、トラッキング・エリアが変わった場合にトラッキング・エリア・アップデートが行われる。
【００３１】
移動局２００は、通信中に移動し、在圏セルが変わった場合には、ハンドオーバを行う。移動局２００がハンドオーバしたことにより、ネットワーク、すなわちアクセスゲートウェイ装置３００は、移動局２００が移動したセル及びトラッキング・エリアを認識できる。
【００３２】
アクセスゲートウェイ装置３００は、移動局２００が移動し、ハンドオーバを行うことにより在圏するセルが変更された場合、在圏するトラッキング・エリアが変わったか否かを判断する。在圏するトラッキング・エリアが変わったと判断した場合、アクセスゲートウェイ装置３００は、移動先のトラッキング・エリアの識別子を、移動局２００に通知する。言い換えれば、アクセスゲートウェイ装置３００は、トラッキング・エリアの識別子を割り当てる。
【００３３】
例えば、図３に示すように、アクセスゲートウェイ装置３００は、移動局２００がセル１０２１からセル１０２２にハンドオーバした場合（セル１０２３からセル１０２４へのハンドオーバ、セル１０２５からセル１０２６へのハンドオーバも同様）には、トラッキング・エリアは変わらないため、トラッキング・エリア・アップデートは行わないが、移動局２００がセル１０２２からセル１０２３にハンドオーバした場合（セル１０２４からセル１０２５へのハンドオーバも同様）には、トラッキング・エリアが変わるため、トラッキング・エリア・アップデートを行う。この場合、移動先（ハンドオーバ先）のトラッキング・エリアの識別子を、移動局２００に通知する。
【００３４】
このようにすることにより、移動局２００が、在圏セルからの報知情報を受信し、その報知情報に含まれるトラッキング・エリアの識別子を確認し、必要に応じて、上りリンクでトラッキング・エリア・アップデートを送信する必要はない。
【００３５】
次に、本実施例に係るアクセスゲートウェイ装置３００について、図４を参照して説明する。
【００３６】
アクセスゲートウェイ装置３００は、パス切替部３０２と、トラッキング・エリア識別子比較手段及びトラッキング・エリア識別子通知手段としてのトラッキング・エリア判断部３０４と、テーブルとしてのトラッキング・エリア、基地局対応テーブル３０６とを備える。
【００３７】
パス切替部３０２は、ハンドオーバ先の基地局から送信されたパス切り替え要求（Ｐａｔｈ  ｓｗｉｔｃｈ  ｒｅｑｕｅｓｔ）に基づいて、ハンドオーバ元基地局からハンドオーバ先基地局へパスの切替えを行う。ここで、パス切り替え要求（Ｐａｔｈ  ｓｗｉｔｃｈ  ｒｅｑｕｅｓｔ）とは、ルーティングパス切り替え要求であり、ＵＰＥが直接ハンドオーバ先の基地局にパケットを送信することができるように、ハンドオーバ先の基地局からアクセスゲートウェイ装置３００に対して送信される信号である。
【００３８】
トラッキング・エリア、基地局対応テーブルに３０６は、図５に示すように、トラッキング・エリアの識別子と、そのトラッキング・エリアに属するセルをカバーする基地局の識別子との対応を示すテーブルである。
【００３９】
トラッキング・エリア判断部３０４は、移動局２００が在圏するトラッキング・エリアを示す識別子を記憶する。トラッキング・エリア判断部３０４は、移動局２００がハンドオーバし、在圏するセルをカバーする基地局の変更が行われた場合、トラッキング・エリア、基地局対応テーブル３０６を参照し、ハンドオーバ先の基地局が属するトラッキング・エリアの識別子を取得し、記憶されているトラッキング・エリアの識別子と同じであるか否かを判断する。
【００４０】
ハンドオーバ先の基地局が属するトラッキング・エリアの識別子と、記憶されているトラッキング・エリアの識別子とが同じである場合、トラッキング・エリア判断部３０４は、トラッキング・エリアを跨いだ移動は行われていないと判断する。この場合、トラッキング・エリアの識別子の通知は行わない。
【００４１】
一方、ハンドオーバ先の基地局が属するトラッキング・エリアの識別子と、記憶されているトラッキング・エリアの識別子とが異なる場合、トラッキング・エリア判断部３０４は、トラッキング・エリアを跨いだ移動が行われたと判断し、ハンドオーバ先の基地局が属するトラッキング・エリアの識別子を移動局２００に通知し、その識別子を記憶する。このようにすることにより、常に最新のトラッキング・エリアの識別子を記憶保持することができる。
【００４２】
次に、本実施例に係る移動通信システムの動作について、図６を参照して説明する。
【００４３】
ここでは、移動局２００が、基地局１００２がカバーするセル１０２２から基地局１００３がカバーするセル１０３３にハンドオーバを行う場合、すなわちハンドオーバに伴いトラッキング・エリアも変わる場合について説明する。以下、基地局１００２をハンドオーバ元基地局１００２、基地局１００３をハンドオーバ先基地局１００３と呼ぶ。
【００４４】
移動局２００は、ハンドオーバ元基地局１００２がカバーするセルからハンドオーバ先基地局１００３がカバーするセルにハンドオーバを行う。すなわち、移動局２００、ハンドオーバ元基地局１００２及びハンドオーバ先基地局１００３はハンドオーバ処理を行う（ステップＳ６０１）（例えば、非特許文献１参照）。
【００４５】
ハンドオーバ先基地局１００３は、ハンドオーバ元基地局１００２にハンドオーバ完了通知を行うとともに（ステップＳ６０２）、アクセスゲートウェイ装置３００にパス切り替え要求を送信する（ステップＳ６０４）。
【００４６】
ハンドオーバ元基地局１００２は、移動局２００に未送信のデータをダウンリンク（ＤＬ：  Ｄｏｗｎ  Ｌｉｎｋ）バッファから検出し（ステップＳ６０６）、ハンドオーバ先基地局１００３に送信する（ステップＳ６０８）。
【００４７】
一方、パス切替部３０２は、ハンドオーバ先基地局１００３から送信されたパス切り替え要求に基づいて、ハンドオーバ元基地局１００２からハンドオーバ先基地局１００３へパスの切替えを行う（ステップＳ６１０）。
【００４８】
次に、トラッキング・エリア判断部３０４は、トラッキング・エリア、基地局対応テーブルに３０６を参照し、ハンドオーバ先の基地局１００３が属するトラッキング・エリアの識別子を取得し、記憶されているトラッキング・エリアの識別子と同じであるか否かを判断する。
【００４９】
ハンドオーバ先の基地局１００３が属するトラッキング・エリアの識別子と、記憶されているトラッキング・エリアの識別子とが同じである場合、トラッキング・エリア判断部３０４は、トラッキング・エリアを跨いだ移動は行われていないと判断する。一方、ハンドオーバ先の基地局１００３が属するトラッキング・エリアの識別子と、記憶されているトラッキング・エリアの識別子とが異なる場合、トラッキング・エリア判断部３０４は、トラッキング・エリアを跨いだ移動が行われたと判断する。
【００５０】
ここでは、ハンドオーバ先の基地局１００３が属するトラッキング・エリアの識別子と、記憶されているトラッキング・エリアの識別子、すなわちハンドオーバ元基地局１００２が属するトラッキング・エリアの識別子とが異なると判断する（ステップＳ６１２）。
【００５１】
次に、トラッキング・エリア判断部３０４は、ハンドオーバ先の基地局１００３が属するトラッキング・エリアの識別子を、例えば個別チャネルにより、ハンドオーバ先基地局１００３を介して移動局２００に通知する（ステップＳ６１４、ステップＳ６１６）。ここで、トラッキング・エリア判断部３０４は、移動局２００に対するトラッキング・エリアの識別子を更新する。
【００５２】
その後、アクセスゲートウェイ装置３００は、ハンドオーバ先基地局１００３を介して、パケットデータを移動局２００に送信する（ステップＳ６１８、ステップＳ６２０。
【００５３】
ここでは、ハンドオーバに伴いトラッキング・エリアも変わる場合について説明したが、ハンドオーバに伴いトラッキング・エリアが変わらない場合、ステップＳ６１４及びステップＳ６１６は行われない。
【００５４】
このように移動局がアクティブモードである場合に、トラッキング・エリアが変わったか否かをネットワーク、例えばアクセスゲートウェイ装置により判断し、変わった場合にのみ、個別チャネルにより変わったトラッキング・エリアの識別子をその移動局に通知するようにすることにより、トラッキング・エリアの確認のための無線リソースの無駄を低減することができる。
【００５５】
また、アクセスゲートウェイ装置３００は、最新のトラッキング・エリアの識別子を記憶保持することができるため、ＲＲＣの解放が行われても直ちに着信できる。
【００５６】
本実施例に係るアクセスゲートウェイ装置は、ハンドオーバの度にトラッキングエリアの検出が行われるため、ハンドオーバの回数が少ない、例えば短時間の通話及び／又は低速モビリティのユーザに対して好適である。
【００５７】
次に、本発明の第２の実施例に係る移動通信システムについて説明する。
【００５８】
ネットワーク側では、移動局が通信中である場合には、在圏するセルを特定できるため、トラッキング・エリアを跨いだ移動が行われても位置登録する必要はない。トラッキング・エリアの情報は、移動局がアイドルモードになった後に、その移動局に対する着信に必要な情報である。
【００５９】
そこで、本実施例に係る移動通信システムでは、終話処理が行われ、移動局２００と、ネットワークとのコネクションが切れる前に、ネットワーク、例えばアクセスゲートウェイ装置３００がコネクションを張ったときとトラッキング・エリアが変わっている場合、新たなトラッキング・エリアの識別子を、該移動局２００に通知する。
【００６０】
本実施例に係る移動通信システムの構成は、図２を参照して説明した構成と同様である。
【００６１】
図７に示すように、アクセスゲートウェイ装置３００は、移動局２００が、トラッキング・エリア＃１（ＴＡ＃１）に属するセル１０２１で通信を開始し、その後セル１０２２、セル１０２３、セル１０２４、セル１０２５及びセル１０２６に順次ハンドオーバし、トラッキング・エリア＃３（ＴＡ＃３）に属するセル１０２６で終話する場合、移動局２００とのコネクションが切断される前に、在圏しているトラッキング・エリアの識別子を取得し、移動局２００がアクティブモードとなったとき、すなわち通信を開始したときのトラッキング・エリアの識別子と比較し、異なる場合に在圏しているトラッキング・エリアの識別子を該移動局に通知し、コネクションの切断を行う。図７では、トラッキング・エリア＃１に属するセル１０２１で通信が開始され、トラッキング・エリア＃３に属するセル１０２６で終話されるので、セル１０２６は、移動局２００に在圏しているトラッキング・エリアの識別子を通知する。言い換えれば、トラッキング・エリアの識別子を割り当てる。
【００６２】
このようにすることにより、移動局２００が、在圏セルからの報知情報を受信し、その報知情報に含まれるトラッキング・エリアの識別子確認し、必要に応じて、上りリンクでトラッキング・エリア・アップデートを送信する必要はない。
【００６３】
また、第１の実施例と比較して、トラッキング・エリア・アップデートの処理回数を減少させることができる。
【００６４】
次に、本実施例に係るアクセスゲートウェイ装置３００について、図８を参照して説明する。
【００６５】
アクセスゲートウェイ装置３００は、コネクション解放処理部３０８と、トラッキング・エリア判断部３０４と、トラッキング・エリア、基地局対応テーブル３０６とを備える。
【００６６】
コネクション解放処理部３０８は、移動局２００、基地局１００、アクセスゲートウェイ装置３００の内、少なくとも１つによりコネクションの解放が決定された場合、そのコネクションの解放が決定されたことを、トラッキング・エリア判断部３０４に通知する。
【００６７】
例えば移動局２００は、終話命令がなされた場合にコネクションの解放を行うことを決定し、基地局１００は無線チャネル状態が悪い状態が所定の時間継続しタイムアウトになった場合にコネクションの解放を行うことを決定し、アクセスゲートウェイ装置３００はデータが所定の時間が経過してもこない場合にコネクションの解放を行うことを決定する。
【００６８】
トラッキング・エリア、基地局対応テーブルに３０６は、図５を参照して説明したように、トラッキング・エリアの識別子と、そのトラッキング・エリアを構成するセルをカバーする基地局の識別子との対応を示すテーブルである。
【００６９】
トラッキング・エリア判断部３０４は、移動局２００がアイドルモードからアクティブモードに遷移したとき、すなわち通信が開始されたときのトラッキング・エリアを示す識別子を記憶する。トラッキング・エリア判断部３０４は、移動局２００、基地局１００及びアクセスゲートウェイ装置３００との間でコネクションの解放が行われることが決定された場合、コネクション解放処理部３０８からの通知に基づいて、移動局が在圏するセルをカバーする基地局の識別子を取得し、トラッキング・エリア、基地局対応テーブルに３０６を参照し、取得した基地局の識別子からトラッキング・エリアの識別子を取得し、記憶されているトラッキング・エリアの識別子と同じであるか否かを判断する。
【００７０】
取得したトラッキング・エリアの識別子と、記憶されているトラッキング・エリアの識別子とが同じである場合、トラッキング・エリア判断部３０４は、トラッキング・エリアを跨いだ移動は行われていないと判断する。この場合、トラッキング・エリアの識別子の通知は行わず、コネクション解放処理部３０８に、トラッキング・エリアの判断処理が終了したことを通知する。
【００７１】
一方、取得したトラッキング・エリアの識別子と、記憶されているトラッキング・エリアの識別子とが異なる場合、トラッキング・エリア判断部３０４は、トラッキング・エリアを跨いだ移動が行われたと判断し、取得したトラッキング・エリアの識別子を移動局２００に通知し、コネクション解放処理部３０８に、トラッキング・エリアの判断処理が終了したことを通知する。
【００７２】
コネクション解放処理部３０８は、トラッキング・エリア判断部３０４からトラッキング・エリアの判断処理が終了したことが通知されると、コネクションの解放処理を行う。
【００７３】
次に、本実施例に係る移動通信システムの動作について、図９を参照して説明する。
【００７４】
移動局２００、基地局１００、アクセスゲートウェイ装置３００の内、少なくとも１つによりコネクションの解放が決定され、コネクション解放処理部３０８は、コネクションの解放が決定されたことを、トラッキング・エリア判断部３０４に通知する（ステップＳ９０２）。
【００７５】
トラッキング・エリア判断部３０４は、コネクション解放処理部３０８からの通知に基づいて、移動局が在圏するセルをカバーする基地局の識別子を取得し、トラッキング・エリア、基地局対応テーブルに３０６を参照し、取得した基地局の識別子からトラッキング・エリアの識別子を取得し、記憶されている移動局２００がアイドルモードからアクティブモードに遷移したときのトラッキング・エリアを示す識別子と同じであるか否かを判断する（ステップＳ９０４）。
【００７６】
在圏するトラッキング・エリアの識別子と、記憶されているトラッキング・エリアの識別子とが異なる場合、トラッキング・エリア判断部３０４は、トラッキング・エリアを跨いだ移動が行われたと判断する。
【００７７】
この場合、コネクション解放処理部３０８は、取得したトラッキングエリアの識別子を含む解放コマンドを基地局１００に通知する（ステップＳ９０６）。
【００７８】
次に、基地局１００は、移動局２００に、取得したトラッキング・エリアの識別子を含むＲＲＣコマンドを通知するとともに、アクセスゲートウェイ装置３００に解放完了を通知する。
【００７９】
次に、移動局２００は、基地局１００にＲＲＣ解放完了を通知する（ステップＳ９１２）。
【００８０】
在圏するトラッキング・エリアの識別子と、記憶されているトラッキング・エリアの識別子とが同じである場合には、トラッキング・エリア判断部３０４は、トラッキング・エリアを跨いだ移動は行われていないと判断する。
【００８１】
この場合、ステップＳ９０６において、コネクション解放処理部３０８は、在圏するトラッキング・エリアの識別子を含まない解放コマンドを基地局１００に通知する。次に、ステップＳ９０８において、基地局１００は、移動局２００に、在圏するトラッキング・エリアの識別子を含まないＲＲＣコマンドを通知する。
【００８２】
次に、本発明の第３の実施例に係る移動通信システムについて説明する。
【００８３】
移動局２００が、トラッキング・エリアを跨って移動した場合に、移動先のトラッキング・エリアを管理するアクセスゲートウェイ装置と、移動元のトラッキング・エリアを管理するアクセスゲートウェイ装置が異なる場合がある。
【００８４】
例えば、図１０に示すように、移動局２００が、基地局１００２がカバーするセル１０２２から基地局１００３がカバーするセル１０２３に移動した場合、セル１０２２を管理するアクセスゲートウェイ装置３００１からセル１０２３を管理するアクセスゲートウェイ装置３００２への切り替えが行われる。このアクセスゲートウェイ装置の切替えをリロケーションと呼ぶ。
【００８５】
また、このリロケーションは、移動局２００がトラッキング・エリアを跨った移動をした場合に生じるとは限らない。例えば、負荷分散の目的で、或る基地局を複数のアクセスゲートウェイ装置により管理可能する場合もある。
【００８６】
例えば、図１１に示すように、基地局は複数のアクセスゲートウェイ装置により管理可能とされる。例えば、基地局１００１は、アクセスゲートウェイ装置３００３及び３００４により管理することができる。
【００８７】
このような構成とした場合に、例えば、移動局２００を管理するアクセスゲートウェイ装置をアクセスゲートウェイ装置３００３からアクセスゲートウェイ装置３００４に切り替えることが行われる。
【００８８】
このように、負荷分散のために、基地局の管理を行う複数のアクセスゲートウェイ装置をＭＭＥ／ＵＰＥ  ｐｏｏｌと呼ぶ。
【００８９】
本実施例に係る移動通信システムでは、アクセスゲートウェイ装置の切替えが行われることを契機として、トラッキング・エリアの確認が行われる。
【００９０】
次に、本実施例に係るアクセスゲートウェイ装置３００について、図１２を参照して説明する。
【００９１】
アクセスゲートウェイ装置３００は、リロケーション処理部３１０と、トラッキング・エリア判断部３０４と、トラッキング・エリア、基地局対応テーブル３０６とを備える。
【００９２】
リロケーション処理部２１０は、アクセスゲートウェイ装置の負荷状況に基づいて、現在他のアクセスゲートウェイ装置に管理されている移動局２００の管理を自アクセスゲートウェイ装置に変更するか否かの判断を行う。リロケーション処理部２１０は、現在他のアクセスゲートウェイ装置に管理されている移動局２００の管理を自アクセスゲートウェイ装置に変更すると判断した場合、加入者情報を登録するＨＬＲ４００に対して、その移動局２００を自アクセスゲートウェイ装置に変更するリロケーション要求を行う。ＨＬＲ４００は、アクセスゲートウェイ装置からのリロケーション要求に基づいて、他のアクセスゲートウェイ装置に、その移動局の管理を変更するためのリロケーションコマンドを送信する。
【００９３】
また、他のアクセスゲートウェイ装置のリロケーション処理部２１０は、ＨＬＲ４００からリロケーションコマンドが送信された場合、所定の処理を行い、ＨＬＲにリロケーション応答を送信する。ＨＬＲ４００は、他のゲートウェイによりリロケーション応答が送信された場合、リロケーション要求を行ったアクセスゲートウェイ装置に、その移動局の管理を変更し、リロケーション要求を行ったアクセスゲートウェイ装置にリロケーション完了を通知する。
【００９４】
トラッキング・エリア、基地局対応テーブルに３０６は、図５を参照して説明したように、トラッキング・エリアの識別子と、そのトラッキング・エリアに属するセルをカバーする基地局の識別子との対応を示すテーブルである。
【００９５】
リロケーションが行われ、リロケーション要求を行ったアクセスゲートウェイ装置に管理が切替えられた場合に、リロケーション要求を行ったアクセスゲートウェイ装置のトラッキング・エリア判断部３０４は、在圏する基地局の識別子を取得し、トラッキング・エリア、基地局対応テーブルに３０６を参照し、在圏する基地局の識別子からトラッキング・エリアの識別子を取得し、通知されたトラッキング・エリアの識別子と同じであるか否かを判断する。例えば、リロケーションが行われる場合に、リロケーション前のアクセスゲートウェイ装置、すなわち他のアクセスゲートウェイ装置から、リロケーション後のアクセスゲートウェイ装置、すなわちリロケーション要求を行ったアクセスゲートウェイ装置に、リロケーション前のアクセスゲートウェイ装置に記憶されているトラッキング・エリアの識別子が通知される。
【００９６】
在圏するトラッキング・エリアの識別子と、通知されたトラッキング・エリアの識別子とが同じである場合、トラッキング・エリア判断部３０４は、トラッキング・エリアを跨いだ移動は行われていないと判断する。この場合、トラッキング・エリアの通知は行われない。
【００９７】
一方、在圏するトラッキング・エリアの識別子と、通知されたトラッキング・エリアの識別子とが異なる場合、トラッキング・エリア判断部３０４は、トラッキング・エリアを跨いだ移動が行われたと判断し、在圏するトラッキング・エリアの識別子を移動局２００に通知する。
【００９８】
次に、本実施例に係る移動通信システムの動作について、図１３を参照して説明する。本実施例では、図１０に示すシステム構成図において、移動局２００がセル１０２２からセル１０２３へハンドオーバする場合について説明する。この場合、ハンドオーバに伴い、トラッキング・エリアが変わるとともに、セルをカバーする基地局を管理するアクセスゲートウェイ装置の切替えも行われる。
【００９９】
移動局２００は、ハンドオーバ元基地局１０２２がカバーするセルからハンドオーバ先基地局１００３がカバーするセル１０２３にハンドオーバを行う。
【０１００】
アクセスゲートウェイ装置３００２のリロケーション処理部３１０は、ＨＬＲ４００にリロケーション要求を行う（ステップＳ１３０２）。
【０１０１】
次に、ＨＬＲ４００は、リロケーション元のアクセスゲートウェイ装置３００１に対し、リロケーションコマンドを送信する（ステップＳ１３０４）。
【０１０２】
次に、アクセスゲートウェイ装置３００１のリロケーション処理部３１０は、リロケーション処理を行い、ＨＬＲ４００にリロケーション応答通知を送信する（ステップＳ１３０６）。
【０１０３】
次に、ＨＬＲ４００は、アクセスゲートウェイ装置３００２にリロケーション完了通知を行う（ステップＳ１３０８）。このリロケーション完了通知には、ＨＬＲ４００に記憶されている移動局２００に対応するトラッキング・エリアの識別子が含まれる。また、リロケーション応答通知に、アクセスゲートウェイ装置３００１に記憶されている移動局２００に対応するトラッキング・エリアの識別子が含まれるようにしてもよい。このようにした場合、リロケーション完了通知には、アクセスゲートウェイ装置３００１に記憶されている移動局２００に対応するトラッキング・エリアの識別子が含まれる。アクセスゲートウェイ装置３００２のトラッキング・エリア判断部３０４は、通知された移動局２００に対応するトラッキング・エリアの識別子を記憶する。
【０１０４】
次に、アクセスゲートウェイ装置３００２のトラッキング・エリア判断部３０４は、トラッキング・エリア、基地局対応テーブルに３０６を参照し、基地局１００が属するトラッキング・エリアの識別子を取得し、記憶されているトラッキング・エリアの識別子と同じであるか否かを判断する（ステップＳ１３１０）。
【０１０５】
基地局１００が属するトラッキング・エリアの識別子と、記憶されているトラッキング・エリアの識別子とが同じである場合、トラッキング・エリア判断部３０４は、トラッキング・エリアを跨いだ移動は行われていないと判断する。この場合、トラッキング・エリアの識別子の通知は行われない。
【０１０６】
一方、基地局１００３が属するトラッキング・エリアの識別子と、記憶されているトラッキング・エリアの識別子とが異なる場合、トラッキング・エリア判断部３０４は、トラッキング・エリアを跨いだ移動が行われたと判断する。
【０１０７】
ここでは、基地局１００３が属するトラッキング・エリアの識別子と、記憶されているトラッキング・エリアの識別子とが異なると判断する。
【０１０８】
次に、トラッキング・エリア判断部３０４は、基地局１００が属するトラッキング・エリアの識別子を、個別チャネルにより、基地局１００３を介して移動局２００に通知する（ステップＳ１３１２、ステップＳ１３１４）。ここで、トラッキング・エリア判断部３０４は、移動局２００に対するトラッキング・エリアの識別子を更新する。
【産業上の利用可能性】
【０１０９】
本発明に係るアクセスゲートウェイ装置及びトラッキング・エリア識別子通知方法は、無線通信システムに適用できる。
【図面の簡単な説明】
【０１１０】
【図１】トラッキング・エリア・アップデートを示す説明図である。
【図２】本発明の一実施例に係る移動通信システムを示すブロック図である。
【図３】本発明の一実施例に係るトラッキング・エリア・アップデートを示す説明図である。
【図４】本発明の一実施例に係るアクセスゲートウェイ装置を示す部分ブロック図である。
【図５】トラッキング・エリア、基地局対応テーブルを示す説明図である。
【図６】本発明の一実施例に係る移動通信システムの動作を示すフロー図である。
【図７】本発明の一実施例に係るトラッキング・エリア・アップデートを示す説明図である。
【図８】本発明の一実施例に係るアクセスゲートウェイ装置を示す部分ブロック図である。
【図９】本発明の一実施例に係る移動通信システムの動作を示すフロー図である。
【図１０】本発明の一実施例に係る移動通信システムを示すブロック図である。
【図１１】本発明の一実施例に係る移動通信システムを示すブロック図である。
【図１２】本発明の一実施例に係るアクセスゲートウェイ装置を示す部分ブロック図である。
【図１３】本発明の一実施例に係る移動通信システムの動作を示すフロー図である。
【符号の説明】
【０１１１】
１００、１００１、１００２、１００３、１００４、１００５、１００６  基地局装置
１、１１、１２、１３、１４、１５、１６、１０２１、１０２２、１０２３、１０２４、１０２５、１０２６  セル
２、２００  移動局装置
３００、３００１、３００２、３００３、３００４、３００５、３００６  アクセスゲートウェイ装置
３０２  パス切替部
３０４  トラッキング・エリア判断部
３０６  トラッキング・エリア、基地局対応テーブル
３０８  コネクション解放処理部
３１０  リロケーション処理部
４００  ＨＬＲ
５００  コアネットワーク
【図１】
2008118203.tif 000003
【図２】
2008118203.tif 000004
【図３】
2008118203.tif 000005
【図４】
2008118203.tif 000006
【図５】
2008118203.tif 000007
【図６】
2008118203.tif 000008
【図７】
2008118203.tif 000009
【図８】
2008118203.tif 000010
【図９】
2008118203.tif 000011
【図１０】
2008118203.tif 000012
【図１１】
2008118203.tif 000013
【図１２】
2008118203.tif 000014
【図１３】
2008118203.tif 000015